(57)【特許請求の範囲】
【請求項１】
基礎床面上に碁盤目状に立設される支持脚と、四方において隣り合う各支持脚のパネル支持台間にわたって架橋状に取付けられるストリンガーと、四辺のコーナー側に切欠状の凹部を有し上記ストリンガー上に載承される床パネルと、前記支持脚のパネル支持台と前記ストリンガーとの間及び前記ストリンガーと前記床パネルとの間に介在して気密性を確保するシール材とを備えてなる空調用フリーアクセスフロアにおいて、前記パネル支持台にキャップ嵌合部を上下貫通状に形成し、該キャップ嵌合部に配線コードを密接状に挿通する挿通部を形成した配線用キャップを着脱可能に設け、該配線用キャップは、隣接する前記床パネルの上記凹部同士が合わさって形成される貫通孔に適合し且つ上記挿通部に連続したコード取出通し孔を有する凸部を形成してなることを特徴とする空調用フリーアクセスフロア。
【請求項２】
基礎床面上に碁盤目状に立設される支持脚と、四方において隣り合う各支持脚のパネル支持台間にわたって架橋状に取付けられるストリンガーと、四辺のコーナー側に切欠状の凹部を有し上記ストリンガー上に載承される床パネルと、前記支持脚のパネル支持台と前記ストリンガーとの間及び前記ストリンガーと前記床パネルとの間に介在して気密性を確保するシール材とを備えてなる空調用フリーアクセスフロアにおいて、前記パネル支持台にキャップ嵌合部を上下貫通状に形成し、該キャップ嵌合部に、隣接する前記床パネルの上記凹部同士が合わさって形成される貫通孔に適合する凸部を形成してなる閉塞キャップを着脱可能に設けたことを特徴とする空調用フリーアクセスフロア。
【請求項３】
前記配線用キャップ又は閉塞キャップの上部にシール材を設け、前記ストリンガーの端部側下面に上記シール材を押圧して気密性を確保する突起を設けたことを特徴とする請求項１又は２記載の空調用フリーアクセスフロア。
【請求項４】
前記配線用キャップが、軟質弾性材料で形成され、該配線用キャップの前記挿通部が配線コードと密接する逆円錐孔状に形成されていることを特徴とする請求項１又は請求項３記載の空調用フリーアクセスフロア。
【発明の詳細な説明】
【０００１】
【発明の属する技術分野】
本発明は、フリーアクセスフロアに関し、特に、床下空間を室内空調のエアーチャンバーとして利用する空調用フリーアクセスフロアに関するものである。
【０００２】
【従来の技術】
一般に、フリーアクセスフロアに使用される標準的な床パネルは、アルミ，スチールやケイ酸カルシウム板等によって製造され、フランジ状に形成された周辺における各辺鍔部のコーナー側に、床下配線の取出し等に利用される切欠状の凹部を有するものがある。そして、この床パネルは、フロア上に載置されている机等の什器の配置移動時には取外し取付けを簡単に行い得る様に基礎床面上に立設された各支持脚のパネル支持台上又は各支持脚にわたって架設されたストリンガー上に載承させて敷設される。
よって、床下空間を室内空調のエアーチャンバーとして利用する場合には、フロアを構成する各床パネル相互の隣り合う周囲衝合縁間及び前記切欠状の凹部から床下空間の空調用空気が漏れないように、パネル支持台の上面と床パネルのコーナー下面との間及び、ストリンガーの上面と床パネルの各辺下面との間にシール材を介在させる等のシール構造（例えば、実公平７−１４１７等参照）を採用していた。
【０００３】
しかしながら、上記構造において床下の配線を取り出す場合には、標準的な前記床パネルとは別に、コンセントボックスを取付けた配線専用床パネルを敷設し、床下の配線を上記コンセントボックスのコンセントに接続するようにしていたため、配線コードの取出し箇所がコンセントボックスの在る箇所に限定されてしまう上、配線部に隙間を生じて気密性能が低下するのを防止すべく各配線個所をいちいちコーキング処理を施さなければならないと同時に、標準的な床パネルとは別にコンセントの必要数に応じた数量の配線専用床パネルが必要であるため、空調用フリーアクセスフロアのコストを押し上げる要因となっている。
更に、敷詰められた各床パネル各辺の凹部が合わさって形成された貫通孔により床面に凹みが形成されるため、上面を絨毯等で覆ったとしても、設置物を載せた際に前記凹み箇所に什器の脚が落ちたり絨毯が凹んで見栄えが悪い等の不具合がある。
【０００４】
【発明が解決しようとする課題】
本発明は上記従来事情に鑑みてなされたものであり、その目的とする処は、床下から配線コードを取出すのに専用の床パネルを使用しなくても済み、フロアの任意の所望とする箇所から配線コードを取出すことが出来、しかも、各床パネル間は勿論のこと、配線取出し部分においても気密性能が高い上、床面に凹みがない空調用フリーアクセスフロアを提供することにある。
【０００５】
【課題を解決するための手段】
上記目的を達成する本発明の請求項１に係わる空調用フリーアクセスフロアは、基礎床面上に碁盤目状に立設される支持脚と、四方において隣り合う各支持脚のパネル支持台間にわたって架橋状に取付けられるストリンガーと、四辺のコーナー側に切欠状の凹部を有し上記ストリンガー上に載承される床パネルと、前記支持脚のパネル支持台と前記ストリンガーとの間及び前記ストリンガーと前記床パネルとの間に介在して気密性を確保するシール材とを備えてなる空調用フリーアクセスフロアにおいて、前記パネル支持台にキャップ嵌合部を上下貫通状に形成し、該キャップ嵌合部に配線コードを密接状に挿通する挿通部を形成した配線用キャップを着脱可能に設け、該配線用キャップは、隣接する前記床パネルの上記凹部同士が合わさって形成される貫通孔に適合し且つ上記挿通部に連続したコード取出通し孔を有する凸部を形成してなることを特徴としたものである。
また、本発明の請求項２に係わる空調用フリーアクセスフロアは、基礎床面上に碁盤目状に立設される支持脚と、四方において隣り合う各支持脚のパネル支持台間にわたって架橋状に取付けられるストリンガーと、四辺のコーナー側に切欠状の凹部を有し上記ストリンガー上に載承される床パネルと、前記支持脚のパネル支持台と前記ストリンガーとの間及び前記ストリンガーと前記床パネルとの間に介在して気密性を確保するシール材とを備えてなる空調用フリーアクセスフロアにおいて、前記パネル支持台にキャップ嵌合部を上下貫通状に形成し、該キャップ嵌合部に、隣接する前記床パネルの上記凹部同士が合わさって形成される貫通孔に適合する凸部を形成してなる閉塞キャップを着脱可能に設けたことを特徴としたものである。
また、本発明の請求項３に係わる空調用フリーアクセスフロアは、前記配線用キャップ又は閉塞キャップの上部にシール材を設け、前記ストリンガーの端部側下面に上記シール材を押圧して気密性を確保する突起を設けたことを特徴としたものである。
また、本発明の請求項４に係わる空調用フリーアクセスフロアは、前記配線用キャップが、軟質弾性材料で形成され、該配線用キャップの前記挿通部が配線コードと密接する逆円錐孔状に形成されていることを特徴としたものである。
【０００６】
【発明の実施の形態】
以下、本発明の実施の形態を図面に基づいて説明する。
図１乃至図４は、本発明に係わる空調用フリーアクセスフロアの一実施の形態を示し、図５は、同空調用フリーアクセスフロアに使用される配線用キャップを示す。
【０００７】
空調用フリーアクセスフロア１０は、図１乃至３に示すように、基礎床面１上に碁盤目上に多数立設される支持脚２と、四方において隣り合う各支持脚２のパネル支持台３間にわたって架橋状に取付けられるストリンガー４と、各ストリンガー４上に載承される床パネル５等で構成されている。そして、この空調用フリーアクセスフロア１０は、床パネル５各辺のコーナー側に切欠状の凹部１５を有し、隣接する床パネル５の凹部１５同士が合わさって六角形状の貫通孔１５aが形成され、この貫通孔１５aに床下から配線コード７が挿通される。
【０００８】
支持脚２は、正方形板状の基台２aの上面中心部に脚支柱２bを立設し、この脚支柱２bの上端部にパネル支持台３を設けている。
パネル支持台３は、ダイカスト成形等により、略正方形板状の支持板３aの下部中心に前記脚支柱２bに嵌合する孔を有する嵌合軸部３bを同一体に垂設し、四隅にキャップ嵌合部１３を形成している。そして、このパネル支持台３は、嵌合軸部３ｂを脚支柱２ｂに上下動可能に嵌合装着させ、脚支柱２ｂに螺合させた高さ調整ナット３ｄを螺動操作することにより高さ調整できるようにされ、調整ナット３ｄに螺動防止用固定ネジ３ｅを設けて、高さ調整ナット３ｄの不用意な螺動を防止するようになっており、高さ調整後、嵌合軸部３bを螺合貫通するボルト３ｃにより、脚支柱２ｂ上端部に固定されている（図２参照）。
そして、このパネル支持台３の上面には、隣り合うキャップ嵌合部１３の間にウレタンスポンジゴム等からなるシール材１６を接着している。このシール材１６は、パネル支持台３とこの上部に載置されるストリンガー４との間の気密性を確保している。
【０００９】
キャップ嵌合部１３は、支持板３a上面に略直方体状に突出形成され、上下貫通状に形成された嵌合孔１３aと、この嵌合孔１３aの内周面と連続すると共に支持板３aコーナー側を開口して上下にわたる配線コード７を挿入可能に形成した切欠部１３aとを有してなる。そして、配線を行うキャップ嵌合部１３には、配線用キャップ８が装着され、配線を行わないキャップ嵌合部１３には、閉塞キャップ９が装着されている。
【００１０】
配線用キャップ８は、軟質のゴム材あるいは樹脂等の軟質弾性材料を成型してなり、図４及び５に示すように、内部に逆円錐孔状に形成された挿通部１８と、上記床パネル５の貫通孔１５aに適合する六角形状に突出形成されると共に上記挿通部１８と連続するコード取出通し孔３８を形成された凸部２８と、前記パネル支持台３の嵌合孔１３aに嵌合可能な円形状外周面を形成された被嵌合部４８と、ストリンガー４がシール材２６を介して嵌合されるように形成したシール部５８とを備えてなり、下方及びシール部５８側の側面を開口した空洞部８８を内部に形成される。
【００１１】
この配線用キャップ８は、比較的細い配線コード７を挿通する場合、シール部５８側からコード取出通し孔３８の中心に向かって（図４に示す切断線６８に沿って）、鋏やカッターナイフ等の切断工具で切断し、その両切断面の間に配線コード７が弾性的に密接して挟み込まれる。
また、比較的太い配線コード７を挿通する場合、空洞部８８に鋏やカッターナイフ等の切断工具の刃先を挿入して、挿通部１８を配線コード７の外径に合わせて水平に（図５に示す切断線７８に沿って）切断し、その切断された挿通部１８の開口部に配線コード７が密接状に挿通される。
尚、この挿通部１８を切断した配線用キャップ８を更に前記したようにシール部５８側からコード取出通し孔３８の中心に向かって切断し、その両切断面の間に配線コード７を挟み込むようにしても構わない。
【００１２】
シール材２６は、ウレタンスポンジゴム等からなり、シール部５８の外周面に接着されて、上方から嵌合されるストリンガー４と配線用キャップ８との間の気密性を確保している。尚、このシール材２６は、配線用キャップ８の材質及び硬度等を適当に選定してシール部５８自体にシール性を持たせるようにすれば、省くことも可能である。
【００１３】
また、閉塞キャップ９は、軟質のゴム材あるいは樹脂等の軟質弾性材料を成型してなり、前記配線用キャップ８において、挿通部１８を省くと共にコード取出通し孔３８を塞いだ形状を呈し、各床パネル５が合わさってなる貫通孔１５aに適合する凸部１９と、前記パネル支持台３の嵌合孔１３aに嵌合可能な被嵌合部２９と、ストリンガー４がシール材２６を介して嵌合するシール部３９とを有している。
尚、前記シール材２６は、シール部３９の外周面に接着されているが、配線用キャップ８の場合と同様に、配線用キャップ８の材質及び硬度等を適当に選定してシール部３９自体にシール性を持たせるようにすれば、省くことも可能である。
【００１４】
ストリンガー４は、上面４ｄとこの上面４ｄ両側で長手方向に延びる縁部４ｃ，４ｃとを有する断面凸形状の長尺部材であり、長手方向の両先端部に配線用キャップ8の凸部28及び閉塞キャップ9の凸部１９に嵌入可能な半六角状に切欠部４ｂ，４ｂを形成し、両切欠部４ｂ，４ｂ側で下側内面から下方に突出すると共に長手方向と直交する方向に延びるように突起４ａ，４ａを形成している。また、両縁部４ｃ，４ｃのそれぞれの上面には、その全長にわたってシール材６が接着されている。
【００１５】
このストリンガー４は、両切欠部４ｂ，４ｂをパネル支持台３に嵌合された配線用キャップ８の凸部２８又は閉塞キャップ９の凸部１９に嵌入すると共に、両縁部４ｃ，４ｃ下面先端側をパネル支持台３上面のシール材１６に載置している。そして、突起４ａにより配線用キャップ８又は閉塞キャップ９に接着されたシール材２６を局部的に押圧している。
【００１６】
床パネル５は、従来より空調用フリーアクセスフロアに用いられている標準的な床パネルであり、フランジ状に形成された周辺部における各辺鍔部分のコーナー側に床下配線取出し等に利用するための凹部１５が形成され、平面視略正方形状の上面よりもやや小さい正方形状を呈して下面側に底部５ａを突出している。そして、この底部５ａの周端部をストリンガー４の前記シール材６上に載置している。
【００１７】
そして、配線を行う箇所では、隣接する床パネル５の凹部１５同士が合わさった貫通孔１５ａに、配線用キャップ８の凸部２８が挿入されており、配線用キャップ８内に挿通されて床パネル５上に取出された配線コード７の先端部にコンセント１７が取付けられている。
また、配線を行わない箇所では，前記貫通孔１５ａに閉塞キャップ９の凸部１９が挿入されており、床パネル５上面が凸部１９により凹みのない平な状態になっている。
尚、凹部１５は、従来の標準的な床パネルにおいて床下配線の取出し等に利用するために形成されているものであるが、配線用キャップ８の凸部２８及び閉塞キャップ９の凸部１９に対応させて形成したものでも構わない。
【００１８】
次に、上記構成による空調用フリーアクセスフロア１０の作用を説明する。
配線コード７を配線用キャップ８に挿通し、この配線用キャップ８をパネル支持台３のキャップ嵌合部１３に装着することにより配線コード７が固定され、更に、この配線用キャップ８の凸部２８を隣合う床パネル５の凹部１５が合わさって形成された貫通孔１５ａに挿入することで、配線コード７が貫通孔１５ａとの隙間なく床パネル５上下に挿通される。
【００１９】
また、配線を行わない個所では、パネル支持台３のキャップ嵌合部１３に閉塞キャップ９を装着することで、貫通孔１５ａを閉塞キャップ９の凸部１９が下方から支持脚２により支持された状態で塞ぐ。
よって、配線用キャップ８の凸部２８又は閉塞キャップ９の凸部１９により床パネル５上下間の空調用空気の漏れ量を低減すると共に、閉塞キャップ９の凸部１９によって床パネル５上面の凹みを無くす。
【００２０】
更に、ストリンガー４下面の突起４ａにより、配線用キャップ８又は閉塞キャップ９の上面に設けたシール材２６を局部的に押圧させることで、気密性能を向上する。
その上、配線用キャップ８が、軟質弾性材料からなるため配線コード７の太さに応じて鋏やカッターナイフ等の簡単な工具で容易に切断され、配線コード７が配線用キャップ８に弾性的且つ密接状に挿通されるので、空調用空気の漏れ量をより低減して気密性を向上する。
【００２１】
尚、図１乃至３に示す空調用フリーアクセスフロア１０では、パネル支持台３のキャップ嵌合部１３における一個所に配線コード７を挿通し、その他の三個所については閉塞キャップ９を取付けるように構成したが、二及び四個所のキャップ嵌合部１３に配線コード７を挿通するようにしたり、全個所のキャップ嵌合部１３に閉塞キャップ９を取付けたりなど、その組み合わせが自由であることは勿論である。
【００２２】
【発明の効果】
本発明は、以上説明したように構成されているので、以下に記載されるような効果を奏する。
請求項１記載の構成によれば、従来より使用されている標準的な床パネルにおける隣接する凹部同士が合わさって形成された貫通孔を利用して所望の箇所から配線コードを取出すことができるので、配線専用の床パネルを不要にして空調用フリーアクセスフロアのコストを大幅に低減し、更に、配線コードの取出し個所が配線専用床パネルのある場所に限定されないので、床上に載置される什器等の配置個所が制約されず、その上、配線コードと上記貫通孔との間が配線キャップにより塞がれると共にこの配線用キャップに配線コードを密接状に挿通しているため、各パネル間は勿論のこと、配線取出し部分においても気密性能が高い空調用フリーアクセスフロアを提供できる。
また、請求項２記載の構成によれば、配線に使用しない床パネルの貫通孔を閉塞キャップで下方から支持脚により支持された状態で塞ぐので、空調用空気の漏れ量を低減する上、床パネル上面が平面状となり、絨毯等を介して前記貫通孔の在る箇所に什器等が載せられたとしても、什器等の脚が凹み箇所で落ち込んだり絨毯が凹んだりするのを防止できる。
更に、請求項３記載の構成によれば、請求項１又は２における効果に加えて、ストリンガーの端部側下面の突起で前記配線用キャップ又は閉塞キャップの上面に設けたシール材を押圧させることにより、床パネル上下間の気密性能をより向上した空調用フリーアクセスフロアを提供できる。
その上、請求項４記載の構成によれば、請求項１又は３における効果に加えて、配線用キャップを軟質弾性材料にしているため太さの異なる配線コードに応じて容易に切断でき、且つ、挿通部が弾性的且つ密接状に配線コードと配線用キャップとの隙間をシールするため気密性能を更に向上できる。
【図面の簡単な説明】
【図１】本発明に係わる空調用フリーアクセスフロアの一実施の形態を示す斜視図。
【図２】図１における（２）−（２）線断面図。
【図３】本発明に係わる空調用フリーアクセスフロアの一実施の形態を示す平面図。
【図４】同空調用フリーアクセスフロアに係わる配線用キャップを示す平面図。
【図５】図４における（５）−（５）線断面図。
【符号の説明】
２：支持脚
３：パネル支持台
４：ストリンガー
４a：突起
５：床パネル
７：配線コード
８：配線用キャップ
９：閉塞キャップ
１０：空調用フリーアクセスフロア
６，１６，２６：シール材
１３：キャップ嵌合部
１５：凹部
１５a:：貫通孔
１８：挿通部
１９：凸部
【図１】
0004057154.tif 000002
【図２】
0004057154.tif 000003
【図３】
0004057154.tif 000004
【図４】
0004057154.tif 000005
【図５】
0004057154.tif 000006